(57)【要約】【課題】現像剤担持体から回収した現像剤を効果的に排出可能な３軸搬送式の現像装置及びそれを備えた画像形成装置を提供する。【解決手段】現像容器２０は攪拌搬送室２１、供給搬送室２２、及び回収搬送室２３に区画されている。攪拌搬送室２１及び供給搬送室２２にはトナーをキャリアと混合して攪拌し、帯電させるための攪拌搬送スクリュー２５ａ及び供給搬送スクリュー２５ｂが配設され、回収搬送室２３には磁気ローラ３０から引き剥がされた現像剤を搬送するための回収搬送スクリュー２５ｃが配設されている。回収搬送室２３は供給搬送室２２よりも現像剤搬送方向下流側まで延出され、延出部２３ａに、現像剤を排出する排出口２３ｄが形成されている。【選択図】図３
2011191506.tif 000002
【特許請求の範囲】
【請求項１】
互いに略並列配置される攪拌搬送室、供給搬送室、及び回収搬送室に区画され、キャリアとトナーとを含む二成分現像剤を収容する現像容器と、
該現像容器に回転可能に支持され表面に現像剤を担持する現像剤担持体と、
前記供給搬送室内に配置され、前記現像剤担持体の軸方向に沿って現像剤を撹拌搬送するとともに前記現像剤担持体に現像剤を供給する供給搬送部材と、
前記攪拌搬送室内に配置され、前記供給搬送部材と逆方向に現像剤を攪拌搬送する攪拌搬送部材と、
前記回収搬送室内に配置され、前記現像剤担持体から回収された現像剤を前記供給搬送部材と同方向に攪拌搬送する回収搬送部材と、
前記現像容器内に現像剤を補給する補給手段と、
該補給手段からの補給により前記現像容器内で余剰となった現像剤を排出する排出手段と、を備えた現像装置において、
前記回収搬送室には、
現像剤搬送方向に対し前記供給搬送室から前記攪拌搬送室へ現像剤を受け渡す現像剤通過路の近傍に配置され前記回収搬送室から前記供給搬送室へ現像剤を受け渡す連通部と、
前記現像剤搬送方向に対し前記連通部よりも下流側まで延出された延出部と、が設けられ、
前記排出手段は、前記延出部に配置されることを特徴とする現像装置。
【請求項２】
前記回収搬送室における前記連通部よりも下流側には、現像剤の排出量を規制する排出量規制部が設けられており、
前記回収搬送部材における前記排出量規制部と前記連通部との間には、現像剤の搬送速度を減少させて滞留させるための減速部が形成されたことを特徴とする請求項１に記載の現像装置
【請求項３】
前記回収搬送室は、前記供給搬送室よりも高い位置に配置されることを特徴とする請求項１または２に記載の現像装置。
【請求項４】
請求項１〜３のいずれかに記載の現像装置が搭載された画像形成装置。
【発明の詳細な説明】
【技術分野】
【０００１】
本発明は、複写機、ファクシミリ、プリンタ等の画像形成装置に搭載される現像装置及びそれを備えた画像形成装置に関し、特に、磁性キャリアとトナーとから成る二成分現像剤を使用する現像装置に関するものである。
【背景技術】
【０００２】
従来、電子写真プロセスを用いた画像形成装置における乾式トナーを用いた現像方式としては、キャリアを用いない一成分現像方式と、磁性キャリアを用いて非磁性のトナーを帯電させる二成分現像剤を使用し、現像ローラ上に形成されたトナー及びキャリアから成る磁気ブラシにより像担持体（感光体）上の静電潜像を現像する二成分現像方式とが知られている。
【０００３】
一成分現像方式は、磁気ブラシによって像担持体上の静電潜像が乱されることがなく高画質化に適している反面、トナーをチャージローラで帯電させ、弾性規制ブレードで現像ローラ上の層厚を規制するため、トナーの添加剤がチャージローラに付着して帯電能力が低下し、トナーの帯電量を安定して維持することが困難であった。また、規制ブレードにトナーが付着し、層形成が不均一になって画像欠陥をきたすことがあった。
【０００４】
また、色重ねを行うカラー印刷の場合、カラートナーに透過性が要求されるため、非磁性トナーである必要がある。そこで、フルカラー画像形成装置においてはキャリアを用いてトナーを帯電及び搬送する二成分現像方式を採用する場合が多い。
【０００５】
ところで、二成分現像方式においては、現像ローラへ現像剤を供給するとともに現像ローラから回収された現像剤を搬送する攪拌搬送スクリューが配置された現像剤供給・回収部と、現像剤供給・回収部から搬送された現像剤にトナーを補給して攪拌、搬送する攪拌搬送部とを有する２軸搬送式の現像装置が一般的に用いられている。また、特許文献１には、現像装置に現像剤を補給し、余剰となった現像剤を排出しながら現像を行う現像装置が開示されている。
【０００６】
しかし、上記の２軸搬送式では、感光体上の静電潜像の現像に使用された、キャリアに対するトナーの割合（Ｔ／Ｃ）が低い現像剤が回収されてすぐに現像ローラ上に再度担持されるため、安定した画像濃度が得られないという問題点があった。
【０００７】
この対策として、例えば特許文献２には、現像ローラへ現像剤を供給する現像剤供給搬送部と、現像ローラから回収された現像剤を搬送する現像剤回収搬送部と、現像剤回収搬送部から搬送された現像剤にトナーを補給して攪拌、搬送する現像剤攪拌搬送部とを別個に設けた３軸搬送式の現像装置が開示されている。
【０００８】
特許文献２の方法によれば、現像後のトナー濃度（Ｔ／Ｃ）の低下した現像剤は全て現像剤回収搬送部で回収され、直ちに現像に用いられることがないため、安定した画像濃度を得ることができる。
【先行技術文献】
【特許文献】
【０００９】
【特許文献１】特開２００４−２８７０７３号公報
【特許文献２】特開２００９−５８９３９号公報
【発明の概要】
【発明が解決しようとする課題】
【００１０】
しかし、特許文献１の方法では、現像剤担持体とは対向しない現像剤攪拌搬送部に現像剤の排出口を有しており、トナー濃度の低下した現像剤を効果的に排出することは困難である。また、特許文献２の方法においては、現像剤供給搬送部に現像剤の排出口が配置されているのであって、現像剤回収搬送部には設けられていないため、トナー濃度の低下した現像剤を効果的に排出することは困難である。
【００１１】
本発明は、上記問題点に鑑み、現像剤担持体から回収した現像剤を効果的に排出可能な３軸搬送式の現像装置及びそれを備えた画像形成装置を提供することを目的とする。
【課題を解決するための手段】
【００１２】
上記目的を達成するために本発明は、互いに略並列配置される攪拌搬送室、供給搬送室、及び回収搬送室に区画され、キャリアとトナーとを含む二成分現像剤を収容する現像容器と、該現像容器に回転可能に支持され表面に現像剤を担持する現像剤担持体と、前記供給搬送室内に配置され、前記現像剤担持体の軸方向に沿って現像剤を撹拌搬送するとともに前記現像剤担持体に現像剤を供給する供給搬送部材と、前記攪拌搬送室内に配置され、前記供給搬送部材と逆方向に現像剤を攪拌搬送する攪拌搬送部材と、前記回収搬送室内に配置され、前記現像剤担持体から回収された現像剤を前記供給搬送部材と同方向に攪拌搬送する回収搬送部材と、前記現像容器内に現像剤を補給する補給手段と、該補給手段からの補給により前記現像容器内で余剰となった現像剤を排出する排出手段と、を備えた現像装置において、前記回収搬送室には、現像剤搬送方向に対し前記供給搬送室から前記攪拌搬送室へ現像剤を受け渡す現像剤通過路の近傍に配置され前記回収搬送室から前記供給搬送室へ現像剤を受け渡す連通部と、前記現像剤搬送方向に対し前記連通部よりも下流側まで延出された延出部と、が設けられ、前記排出手段は、前記延出部に配置されることを特徴としている。
【００１３】
また本発明は、上記構成の現像装置において、前記回収搬送室における前記連通部よりも下流側には、現像剤の排出量を規制する排出量規制部が設けられており、前記回収搬送部材における前記排出量規制部と前記連通部との間には、現像剤の搬送速度を減少させて滞留させるための減速部が形成されたことを特徴としている。
【００１４】
また本発明は、上記構成の現像装置において、前記回収搬送室は、前記供給搬送室よりも高い位置に配置されることを特徴としている。
【００１５】
また本発明は、上記構成の現像装置が搭載された画像形成装置である。
【発明の効果】
【００１６】
本発明の第１の構成によれば、回収搬送室に、供給搬送室から攪拌搬送室へ現像剤を受け渡す現像剤通過路の近傍に配置され回収搬送室から供給搬送室へ現像剤を受け渡す連通部と、回収搬送室に現像剤搬送方向に対し前記連通部よりも下流側まで延出された延出部と、を設け、排出手段を、延出部に配置することによって、トナー濃度の低下した、現像剤担持体から回収した現像剤を効果的に排出することができる。
【００１７】
また、本発明の第２の構成によれば、上記第１の構成の現像装置において、回収搬送室における連通部よりも下流側に現像剤の排出量を規制する排出量規制部を設け、回収搬送部材における排出量規制部と連通部との間に、現像剤の搬送速度を減少させて滞留させるための減速部を形成することによって、簡単な構成で、排出手段から排出される現像剤量を規制することができる。
【００１８】
また、本発明の第３の構成によれば、上記第１または第２の構成の現像装置において、回収搬送室を供給搬送室よりも高い位置に配置することによって、連通部において回収搬送室から供給搬送室への現像剤の受け渡しが容易となる。
【００１９】
また、本発明の第４の構成によれば、上記第１〜第３のいずれかの構成の現像装置を搭載した画像形成装置とすることによって、現像装置内の現像剤の攪拌不足による画像濃度低下の発生しない、高画質な画像を長期間に亘って形成できる。
【図面の簡単な説明】
【００２０】
【図１】本発明の画像形成装置の全体構成を示す概略図
【図２】本発明の第１実施形態に係る現像装置の構成を示す側面断面図
【図３】第１実施形態の現像装置の構成を示す平面断面図
【図４】第１実施形態の現像装置における延出部の構成を示す側面断面図
【図５】現像ローラ及び磁気ローラに印加されるバイアス波形の一例を示す図
【図６】本発明の第２実施形態に係る現像装置の構成を示す側面断面図
【図７】第２実施形態の現像装置の構成を示す平面断面図
【発明を実施するための形態】
【００２１】
以下、図面を参照しながら本発明の実施形態について説明する。図１は、本発明の現像装置が搭載された画像形成装置の概略断面図であり、ここではタンデム方式のカラー画像形成装置について示している。カラープリンタ１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００２２】
この画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において時計回りに回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次一次転写されて重畳された後、二次転写ローラ９の作用によって記録媒体の一例としての転写紙Ｐ上に二次転写され、さらに、定着部１３において転写紙Ｐ上に定着された後、装置本体より排出される。感光体ドラム１ａ〜１ｄを図１において反時計回りに回転させながら、各感光体ドラム１ａ〜１ｄに対する画像形成プロセスが実行される。
【００２３】
トナー像が転写される転写紙Ｐは、装置下部の用紙カセット１６内に収容されており、給紙ローラ１２ａ及びレジストローラ対１２ｂを介して二次転写ローラ９と後述する中間転写ベルト８の駆動ローラ１１とのニップ部へと搬送される。中間転写ベルト８には誘電体樹脂製のシートが用いられ、継ぎ目を有しない（シームレス）ベルトが主に用いられる。また、二次転写ローラ９の下流側には中間転写ベルト８表面に残存するトナー等を除去するためのブレード状のベルトクリーナ１９が配置されている。
【００２４】
次に、画像形成部Ｐａ〜Ｐｄについて説明する。回転自在に配設された感光体ドラム１ａ〜１ｄの周囲及び下方には、感光体ドラム１ａ〜１ｄを帯電させる帯電器２ａ、２ｂ、２ｃ及び２ｄと、各感光体ドラム１ａ〜１ｄに画像情報を露光する露光装置５と、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）等を除去するクリーニング部７ａ、７ｂ、７ｃ及び７ｄが設けられている。
【００２５】
パソコン等の上位装置から画像データが入力されると、先ず、帯電器２ａ〜２ｄによって感光体ドラム１ａ〜１ｄの表面を一様に帯電させ、次いで露光装置５によって画像データに応じて光照射し、各感光体ドラム１ａ〜１ｄ上に画像データに応じた静電潜像を形成する。現像装置３ａ〜３ｄには、それぞれシアン、マゼンタ、イエロー及びブラックの各色のトナーを含む二成分現像剤が所定量充填されている。なお、後述のトナー像の形成によって各現像装置３ａ〜３ｄ内に充填された二成分現像剤中のトナーの割合が規定値を下回った場合にはトナーコンテナ（補給手段）４ａ〜４ｄから各現像装置３ａ〜３ｄに現像剤（トナー及びキャリア）が補給される。この現像剤中のトナーは、現像装置３ａ〜３ｄにより感光体ドラム１ａ〜１ｄ上に供給され、静電的に付着することにより、露光装置５からの露光により形成された静電潜像に応じたトナー像が形成される。
【００２６】
そして、一次転写ローラ６ａ〜６ｄに所定の転写電圧を付与することにより、感光体ドラム１ａ〜１ｄ上のイエロー、シアン、マゼンタ及びブラックのトナー像が中間転写ベルト８上に一次転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナー等がクリーニング部７ａ〜７ｄにより除去される。
【００２７】
中間転写ベルト８は、上流側の搬送ローラ１０と、下流側の駆動ローラ１１とに掛け渡されており、駆動モータ（図示せず）による駆動ローラ１１の回転に伴い中間転写ベルト８が時計回りに回転を開始すると、転写紙Ｐがレジストローラ１２ｂから所定のタイミングで駆動ローラ１１とこれに隣接して設けられた二次転写ローラ９とのニップ部（二次転写ニップ部）へ搬送され、中間転写ベルト８上のフルカラー画像が転写紙Ｐ上に転写される。トナー像が転写された転写紙Ｐは定着部１３へと搬送される。
【００２８】
定着部１３に搬送された転写紙Ｐは、定着ローラ対１３ａにより加熱及び加圧されてトナー像が転写紙Ｐの表面に定着され、所定のフルカラー画像が形成される。フルカラー画像が形成された転写紙Ｐは、複数方向に分岐した分岐部１４によって搬送方向が振り分けられる。転写紙Ｐの片面のみに画像を形成する場合は、そのまま排出ローラ１５によって排出トレイ１７に排出される。
【００２９】
一方、転写紙Ｐの両面に画像を形成する場合は、定着部１３を通過した転写紙Ｐは一旦排出ローラ１５方向に搬送され、転写紙Ｐの後端が分岐部１４を通過した後に排出ローラ１５を逆回転させるとともに分岐部１４の搬送方向を切り換えることで、転写紙Ｐの後端から用紙搬送路１８に振り分けられ、画像面を反転させた状態で二次転写ニップ部に再搬送される。そして、中間転写ベルト８上に形成された次の画像が二次転写ローラ９により転写紙Ｐの画像が形成されていない面に転写され、定着部１３に搬送されてトナー像が定着された後、排出トレイ１７に排出される。
【００３０】
図２は、本発明の第１実施形態に係る現像装置の側面断面図であり、図３は、第１実施形態の現像装置の平面断面図（図２におけるＡＡ′矢視断面図）である。なお、図２は図１の背面側から見た状態を示しており、現像装置内の各部材の配置は図１と左右が逆になっている。また、ここでは図１の画像形成部Ｐａに配置される現像装置３ａについて説明するが、画像形成部Ｐｂ〜Ｐｄに配置される現像装置３ｂ〜３ｄの構成についても基本的に同様であるため説明を省略する。
【００３１】
図２及び図３に示すように、現像装置３ａは、二成分現像剤（以下、単に現像剤と呼ぶ）が収納される現像容器２０を備えており、現像容器２０は仕切壁２０ａ、２０ｂによって攪拌搬送室２１、供給搬送室２２、及び回収搬送室２３に区画されている。攪拌搬送室２１及び供給搬送室２２には、補給口２０ｃを介してトナーコンテナ４ａ（図１参照）から補給されるトナー（正帯電トナー）及びキャリアを、混合して攪拌し、帯電させるための攪拌搬送スクリュー２５ａ及び供給搬送スクリュー２５ｂがそれぞれ回転可能に配設されている。また、回収搬送室２３には磁気ローラ３０（後述）から引き剥がされた現像剤を搬送するための回収搬送スクリュー２５ｃが回転可能に配設されている。
【００３２】
そして、攪拌搬送スクリュー２５ａ及び供給搬送スクリュー２５ｂによって現像剤が攪拌されつつ軸方向（図３の矢印Ｂ、Ｃ方向）に搬送され、仕切壁２０ａの両端部に形成された現像剤通過路２６ａ、２６ｂを介して攪拌搬送室２１、供給搬送室２２間を循環する。また、磁気ローラ３０（後述）から引き剥がされた現像剤は回収搬送スクリュー２５ｃによって軸方向（矢印Ｃ方向）に搬送され、仕切壁２０ｂの一端に形成された連通部２７から供給攪拌室２２内の現像剤に合流する。即ち、攪拌搬送室２１、供給搬送室２２、回収搬送室２３、現像剤通過路２６ａ、２６ｂ、及び連通部２７によって現像容器２０内に現像剤の循環経路が形成されている。
【００３３】
仕切壁２０ｂは、回収搬送路２３の底面から天面まで形成され、仕切壁２０ｂにおいて連通部２７に相当する部分のみ低く形成されている。現像剤は、かかる低く形成された部分を乗り越えることにより、供給用搬送室２２に移動する。また、回収搬送室２３において、連通部２７から供給用搬送室２２に搬送されなかった余剰の現像剤は、連通部２７よりも下流側に移動する。
【００３４】
回収搬送室２３は、現像剤搬送方向（図３のＣ方向）に対し供給搬送室２２よりも下流側まで延出された延出部２３ａを有しており、回収搬送スクリュー２５ｃも延出部２３ａに沿って延出されている。回収搬送室２３において連通部２７よりも下流側には、現像剤排出用壁（排出量規制部）４１が形成されている。図４に示すように、回収搬送スクリュー２５ｃのシャフトは、現像剤排出用壁４１の不図示の貫通孔を貫通している。また、かかる貫通孔とシャフトとの間は、不図示のシール部材によりシールされている。
【００３５】
現像剤排出用壁４１は、回収用搬送室２３の内壁よりも低く形成されており、現像剤排出用壁４１の上端と回収用搬送室２３の天面との間には、隙間が設けられている。これにより、現像剤排出用壁４１の上流側で滞留した現像剤が溢れて現像剤排出用壁４１を乗り越えると、延出部２３ａに送られる。このように、現像剤排出用壁４１を形成することにより、現像剤の排出量を調整することができる。
【００３６】
延出部２３ａの下流側端部の側壁には、排出口（排出手段）２０ｄが形成されている。そして、延出部２３ａに送られた現像剤は、延出部２３ａ内で回収搬送スクリュー２５ｃによって下流側に搬送され、排出口２０ｄから排出される。
【００３７】
このように、トナーコンテナ４ａから新たなキャリアがトナーと共に供給され、劣化したキャリアが余剰の現像剤として排出口２０ｄから徐々に排出されるため、現像容器２０内のキャリアを入れ替えることができ、現像装置３ａの長寿命化を図ることができる。なお、現像剤排出用壁４１の高さは、トナーコンテナ４ａからの現像剤の補給量等に応じて、予備実験等により適宜設定することができる。
【００３８】
また、回収搬送スクリュー２５ｃにおいて連通部２７と現像剤排出用壁４１との間には、他の螺旋羽とは螺旋の向きが異なる螺旋羽から成る減速部２５ｃａが設けられている。回収搬送室２３において連通部２７よりも下流側に搬送された現像剤は、減速部２５ｃａの螺旋羽によって上流側に搬送されようとするため、現像剤の搬送速度が減少する。これにより、現像剤排出用壁４１の上流側直近において現像剤の滞留が生じる。
【００３９】
かかる滞留が生じると、現像剤が上方に盛り上がり、現像剤排出用壁４１を乗り越え易くなる。これにより、現像剤を排出し易くすることができる。なお、減速部２５ｃａを形成する螺旋羽の数量は、ここでは約２枚程度としたが、かかる数量は、螺旋のピッチ、連通部２７から現像剤排出用壁４１までの距離、現像剤排出用壁４１の高さや、回収搬送室２３において減速部２５ｃａに至るまでの現像剤の搬送速度等に応じて適宜設定することができ、特に限定されるものではない。
【００４０】
現像容器２０は図２の右斜め上方に延在しており、現像容器２０内において供給搬送スクリュー２５ｂの上方には磁気ローラ３０が配置され、磁気ローラ３０の右斜め上方には現像ローラ３１が対向配置されている。そして、現像ローラ３１は現像容器２０の開口側（図２の右側）において感光体ドラム１ａ（図１参照）に対向しており、それぞれの回転軸周りに関して磁気ローラ３０は図中時計方向に、現像ローラ３１は図中反時計方向に回転する。
【００４１】
攪拌搬送室２１には攪拌搬送スクリュー２５ａと対面してトナー濃度センサ３３が配置されており、トナー補給口２０ｃの近傍にはトナーコンテナ４ａ（図１参照）からトナーを所定の速度で補給するためのトナー補給モータ（図示せず）が配設されている。図３に示すように、トナー補給口２０ｃは平面的に見て攪拌搬送室２０ｃの上流側端部に配置されており、トナー濃度センサ３３は現像剤の循環方向においてトナー補給口２０ｃの下流側に配置されている。
【００４２】
トナー濃度センサ３３としては、現像容器２０内におけるトナーと磁性キャリアからなる二成分現像剤の透磁率を検出する透磁率センサが用いられる。ここで、トナー濃度とは現像剤中の磁性キャリアに対するトナーの比率（Ｔ／Ｃ）のことであり、本実施形態においては、トナー濃度センサ３３により現像剤の透磁率を検出し、その検出結果に相当する電圧値を制御部（図示せず）に出力するよう構成されており、トナー濃度センサ３３の出力値からトナー濃度が決定されるようになっている。制御部は決定されたトナー濃度に応じてトナー補給モータに制御信号を送信し、トナー補給口２０ｃから現像容器２０内に所定量のトナーを補給する。
【００４３】
センサ出力値はトナー濃度に応じて変化し、トナー濃度が高くなるほど磁性キャリアに対するトナーの比率が高くなり、磁気を通さないトナーの割合が増加するため出力値が低くなる。一方、トナー濃度が低くなるほどキャリアに対するトナーの比率が低くなり、磁気を通すキャリアの割合が増加するため出力値が高くなる。
【００４４】
磁気ローラ３０は、図２において時計方向に回転する非磁性の回転スリーブと、回転スリーブに内包される複数の磁極を有する固定マグネット体で構成されている。
【００４５】
現像ローラ３１は、図２において反時計方向に回転する円筒状の現像スリーブと、現像スリーブ内に固定された現像ローラ側磁極で構成されており、磁気ローラ３０と現像ローラ３１とはその対面位置（対向位置）において所定のギャップをもって対向している。現像ローラ側磁極は、固定マグネット体の対向する磁極（主極）と異極性である。
【００４６】
また、現像容器２０には穂切りブレード３５が磁気ローラ３０の長手方向（図２の紙面表裏方向）に沿って取り付けられており、穂切りブレード３５は、磁気ローラ３０の回転方向（図中時計回り）において、現像ローラ３１と磁気ローラ３０との対向位置よりも上流側に位置付けられている。そして、穂切りブレード３５の先端部と磁気ローラ３０表面との間には僅かな隙間（ギャップ）が形成されている。
【００４７】
現像ローラ３１には、直流電圧（以下、Ｖｓｌｖ（ＤＣ）という）及び交流電圧（以下、Ｖｓｌｖ（ＡＣ）という）が印加され、磁気ローラ３０には、直流電圧（以下、Ｖｍａｇ（ＤＣ）という）及び交流電圧（以下、Ｖｍａｇ（ＡＣ）という）が印加されている。これらの直流電圧及び交流電圧は、現像バイアス電源からバイアス制御回路（いずれも図示せず）を経由して現像ローラ３１及び磁気ローラ３０に印加される。
【００４８】
前述のように、攪拌搬送スクリュー２５ａ及び供給搬送スクリュー２５ｂによって、現像剤が攪拌されつつ現像容器２０内の攪拌搬送室２１及び供給搬送室２２を循環してトナーを帯電させ、供給搬送スクリュー２５ｂによって現像剤が磁気ローラ３０に搬送される。そして、磁気ローラ３０上に磁気ブラシ（図示せず）を形成し、磁気ローラ３０上の磁気ブラシは穂切りブレード３５によって層厚規制された後、磁気ローラ３０と現像ローラ３１との対向部分に搬送され、磁気ローラ３０に印加されるＶｍａｇ（ＤＣ）と現像ローラ３１に印加されるＶｓｌｖ（ＤＣ）との電位差ΔＶ、及び磁界によって現像ローラ３１上にトナー薄層を形成する。
【００４９】
現像ローラ３１上のトナー層厚は現像剤の抵抗や磁気ローラ３０と現像ローラ３１との回転速度差等によっても変化するが、ΔＶによって制御することができる。ΔＶを大きくすると現像ローラ３１上のトナー層は厚くなり、ΔＶを小さくすると薄くなる。現像時におけるΔＶの範囲は一般的に１００Ｖ〜３５０Ｖ程度が適切である。
【００５０】
図５は、現像ローラ３１及び磁気ローラ３０に印加されるバイアス波形の一例を示す図である。図５（ａ）に示すように、現像ローラ３１には、Ｖｓｌｖ（ＤＣ）にピークツーピーク値がＶｐｐ１である矩形波のＶｓｌｖ（ＡＣ）を重畳した合成波形Ｖｓｌｖ（実線）が印加される。また、磁気ローラ３０には、Ｖｍａｇ（ＤＣ）にピークツーピーク値がＶｐｐ２であり、且つＶｓｌｖ（ＡＣ）と位相の異なる矩形波のＶｍａｇ（ＡＣ）を重畳した合成波形Ｖｍａｇ（破線）が印加される。
【００５１】
従って、磁気ローラ３０及び現像ローラ３１間（以下、ＭＳ間という）に印加される電圧は、図５（ｂ）に示すようなＶｐｐ（ｍａｘ）とＶｐｐ（ｍｉｎ）を有する合成波形Ｖｍａｇ−Ｖｓｌｖとなる。なお、Ｖｍａｇ（ＡＣ）はＶｓｌｖ（ＡＣ）よりもＤｕｔｙ比が大きくなるように設定される。実際には図５で示すような完全な矩形波ではなく、一部が歪んだ形状の交流電圧が印加される。
【００５２】
磁気ブラシによって現像ローラ３１上に形成されたトナー薄層は、現像ローラ３１の回転によって感光体ドラム１ａ現像ローラ３１との対向部分に搬送される。現像ローラ３１にはＶｓｌｖ（ＤＣ）及びＶｓｌｖ（ＡＣ）が印加されているため、感光体ドラム１ａとの間の電位差によってトナーが飛翔し、感光体ドラム１ａ上の静電潜像が現像される。
【００５３】
現像に用いられずに残ったトナーは、再度現像ローラ３１と磁気ローラ３０との対向部分に搬送され、磁気ローラ３０上の磁気ブラシによって回収される。そして、磁気ブラシは固定マグネットローラ体の同極部分で磁気ローラ３０から引き剥がされた後、回収搬送室２３内に落下する。回収搬送室２３内の現像剤は回収搬送スクリュー２５ｃによって軸方向に搬送され、連通部２７から供給搬送室２２内の現像剤と合流する。一方、連通部２７から供給搬送室２２に搬送されなかった余剰の現像剤は、延出部２３ａに送られた後、排出口２０ｄから排出される。
【００５４】
その後、トナー濃度センサ３３の出力に基づいてトナー補給口２０ｃから所定量のトナーが補給され、供給搬送室２２及び攪拌搬送室２１を循環する間に再び適正なトナー濃度で均一に帯電された二成分現像剤となる。この現像剤が再び供給搬送スクリュー２５ｂにより磁気ローラ３０上に供給されて磁気ブラシを形成し、穂切りブレード３５へ搬送される。
【００５５】
図２に示すように、回収搬送室２３は供給搬送室２２よりも高い位置に形成されている。このため、回収搬送スクリュー２５ｃによって回収搬送室２３内を搬送されてきた現像剤は連通部２７から供給搬送室２２へと落下しながら合流することとなり、現像剤を円滑に循環させることができる。
【００５６】
また、回収搬送室２３内の現像剤の搬送速度が遅いと供給搬送室２２内の現像剤量が減少してしまい、現像容器２０内の現像剤バランスが悪くなって現像性に影響を及ぼす。一方、回収搬送室２３内のトナー濃度の低下した現像剤を供給搬送室２２内へ一度に多量に合流させてしまうと、トナー補給口２０ｃに搬送されるまでに現像剤が十分に攪拌されず、現像容器２０内でトナー濃度のバラツキが発生してしまう。
【００５７】
そこで、本実施形態では回収搬送室２３内に配置される回収搬送スクリュー２５ｃの螺旋羽の径を、供給搬送室２２内に配置される供給搬送スクリュー２５ｂよりも小さくするとともに、回収搬送スクリュー２５ｃの単位時間当たりの回転数（回転速度）を供給搬送スクリュー２５ｂよりも大きくしている。これにより、回収搬送室２３内のトナー濃度の低下した現像剤を迅速に且つ少量ずつ供給搬送室２２内に戻すことができ、現像容器２０内の現像剤バランス及びトナー濃度を一定に維持可能となる。
【００５８】
本実施形態においては、磁気ローラ３０及び現像ローラ３１の外径を２０ｍｍとしたとき、攪拌搬送スクリュー２５ａ、供給搬送スクリュー２５ｂの軸径を８ｍｍ、螺旋羽の外径を２０ｍｍ、ピッチを１５ｍｍとし、単位時間当たりの回転数を５００ｒｐｍとしている。また、回収搬送スクリュー２５ｃの軸径を４ｍｍ、螺旋羽の外径を８ｍｍ、ピッチを１０ｍｍとし、単位時間当たりの回転数を５１０ｒｐｍとしている。
【００５９】
また、図３に示すように、回収搬送室２３から供給搬送室２２へ現像剤を受け渡す連通部２７は、現像剤の搬送方向（矢印Ｃ方向）に対し、供給搬送室２２から攪拌搬送室２１へ現像剤を受け渡す現像剤通過路２６ｂよりも上流側に設けられている。この構成によれば、トナー濃度の低下した回収搬送室２３内の現像剤が供給搬送室２２内の現像剤と十分混合された状態でトナー補給口２０ｃまで搬送され、新たなトナーが補給される前に現像剤中のトナー濃度はほぼ均一となる。
【００６０】
従って、トナー補給後に攪拌搬送室２１を搬送され、再び供給搬送室２２で磁気ローラ３０に供給されるまでに現像剤中のトナー濃度を安定させることができる。なお、連通部２７及び現像剤通過路２６の配置は、回収搬送室２３から供給搬送室２１に現像剤を受け渡し可能であれば、特に限定されるものではない。
【００６１】
図６は、本発明の第２実施形態に係る現像装置の側面断面図、図７は、第２実施形態の現像装置の平面断面図（図１２におけるＡＡ′矢視断面図）である。本実施形態では上記各実施形態と異なり、磁気ローラ３０は図６において反時計方向に回転し、現像ローラ３１は図６において時計方向に回転する構成となっている。そのため、磁気ローラ３０から引き剥がされた現像剤は供給搬送室２２の内側に落下する。そこで、回収搬送室２３を供給搬送室２２と攪拌搬送室２１の境界付近の上方に設けている。その他の部分の構成は第１実施形態と同様であるため説明を省略する。
【００６２】
この第２実施形態においても、回収搬送室２３が現像剤搬送方向（図７のＣ方向）に対し供給搬送室２２よりも下流側に延出された延出部２３ａを有し、延出部２３ａに排出口２０ｄを形成したため、連通部２７から供給用搬送室２２へと搬送されなかった現像剤を、現像剤排出用壁４１を乗り越えて延出部２３ａへと移動させ、排出口２０ｄから排出することができる。また、回収搬送スクリュー２５ｃに減速部２５ｃａを形成したため、現像剤を排出し易くすることができる。
【００６３】
また、本実施形態においても、回収搬送室２３が供給搬送室２２よりも高い位置に設けられているので、回収搬送室２３内を搬送されてきた現像剤は連通部２７から供給搬送室２２へと落下しながら合流することとなり、現像剤を円滑に循環させることができる。また、連通部２７は現像剤の搬送方向（矢印Ｃ方向）に対し、現像剤通過路２６ｂよりも上流側に設けられている。これにより、トナー濃度の低下した回収搬送室２３内の現像剤が供給搬送室２２内の現像剤と十分混合された状態でトナー補給口２０ｃまで搬送され、新たなトナー及びキャリアが補給される前に現像剤中のトナー濃度をほぼ均一とすることができる。
【００６４】
その他本発明は、上記各実施形態に限定されず、本発明の趣旨を逸脱しない範囲で種々の変更が可能である。例えば、本発明は上記各実施形態に示したような磁気ローラ３０と現像ローラ３１を備えた現像装置に限定されるものではなく、トナー成分と磁性キャリアとから成る二成分現像剤を用いた種々の現像装置に適用可能である。
【００６５】
また、上記実施形態で示した現像剤排出用壁４１の形状等は特に限定されるものではなく、その他、現像剤排出用壁４１を天面まで形成すると共に上流側から下流側に貫通する貫通穴を設けて、現像剤量を規制すること等もできる。また、上記実施形態では、排出口２０ｄを延出部２３ａの壁面に形成したが、延出部２３ａにおける排出口２０ｄの配置は特に限定されるものではなく、その他、下面等に形成することもできる。
【００６６】
また、上記実施形態では、仕切壁２０ｂを、回収搬送路２３の底面から天面まで形成し、連通部２７のみで回収搬送路２３から供給用搬送路２２へと現像剤が移動することとした。しかし、現像容器２０内での現像剤バランス等を考慮して、回収搬送路２３において現像剤が上流側から連通部２７へと移動するまでに徐々に供給用搬送室２２に移動する構成とすることもできる。かかる場合には、仕切壁２０ｂの上方に隙間を設け、仕切壁２０ｂの上端部を、搬送方向下流側に向かって徐々に低く形成したり、その他、仕切壁２０ｂに現像剤が通過可能な穴部を形成することもできる。
【００６７】
また、上記実施形態では、攪拌搬送室２１、供給搬送室２２、及び回収搬送室２３を、平行に配置したが、その他、現像容器２０内で現像剤の循環経路を形成可能であれば、互いに多少傾斜して配置することもできる。
【００６８】
また、本発明は図１に示したタンデム式のカラープリンタに限らず、デジタル或いはアナログ方式のモノクロ複写機、モノクロプリンタ、カラー複写機、ファクシミリ等、種々の画像形成装置に適用可能である。
【産業上の利用可能性】
【００６９】
本発明は、二成分現像剤を用いる３軸搬送式の現像装置に利用可能であり、回収搬送室に、現像剤搬送方向に対し供給搬送室から攪拌搬送室へ現像剤を受け渡す現像剤通過路の近傍に配置され回収搬送室から供給搬送室へ現像剤を受け渡す連通部と、現像剤搬送方向に対し連通部よりも下流側まで延出された延出部と、が設けられ、排出手段は、延出部に配置されるものである。これにより、現像剤担持体から回収した現像剤を効果的に排出することができるため、現像剤中のトナー濃度が安定した現像装置を提供することができ、二成分現像剤の攪拌不足による画像濃度の低下を効果的に抑制することができる。
【００７０】
また、本発明の現像装置を搭載した画像形成装置とすることにより、現像装置内での現像剤の攪拌不足による画像濃度低下の発生しない、高画質な画像を長期間に亘って形成できる。
【符号の説明】
【００７１】
Ｐａ〜Ｐｄ        画像形成部
１ａ〜１ｄ        感光体ドラム
３ａ〜３ｄ        現像装置
４ａ〜４ｄ        トナーコンテナ（補給手段）
２０              現像容器
２０ａ、２０ｂ    仕切壁
２０ｃ            トナー補給口
２０ｄ            排出口（排出手段）
２１              攪拌搬送室
２２              供給搬送室
２３              回収搬送室
２３ａ            延出部
２５ａ            攪拌搬送スクリュー（攪拌搬送部材）
２５ｂ            供給搬送スクリュー（供給搬送部材）
２５ｃ            回収搬送スクリュー（回収搬送部材）
２５ｃａ          減速部
２６ａ、２６ｂ    現像剤通過路
２７              連通部
３０              磁気ローラ（現像剤担持体）
３１              現像ローラ
３３              トナー濃度センサ
３５              穂切りブレード
４１              現像剤排出用壁（排出量規制部）
１００            カラープリンタ（画像形成装置）
【図１】
2011191506.tif 000003
【図２】
2011191506.tif 000004
【図３】
2011191506.tif 000005
【図４】
2011191506.tif 000006
【図５】
2011191506.tif 000007
【図６】
2011191506.tif 000008
【図７】
2011191506.tif 000009